(57)【要約】  【課題】採点情報表示機能を有したカラオケシステムにおいて、利用者が所定の楽曲を歌唱した際、利用者自身の絶対的な歌唱力のレベル変化や変遷が明確に分かるカラオケシステムの提供。  【解決手段】利用者ＩＤ別に当該利用者が歌唱した楽曲毎の採点履歴を記録し、任意の利用者が任意の楽曲を歌唱した際、当該利用者ＩＤの当該楽曲の前記採点履歴に基づき、所定のタイミングにて、その時点での採点が何番目の順位に相当するかの順位表記（ｄ）を表示する。【選択図】図７
2005345555.tif 000002
【特許請求の範囲】
【請求項１】
カラオケホスト装置と、当該ホスト装置とネットワーク通信回線を介して接続され、利用者ＩＤの認識機能および歌唱力の採点機能を有したカラオケ演奏端末を主体としてなるカラオケシステムであって、
（ア）前記カラオケホスト装置内の所定の記録部には、利用者ＩＤ別に、当該利用者が歌唱した楽曲毎の採点履歴が記録されると共に、
（イ）任意の利用者が任意の楽曲を歌唱した際、その楽曲演奏中ないし歌唱後に、当該利用者ＩＤの当該楽曲の前記採点履歴に基づき、所定のタイミングにて、その時点での採点が何番目の順位に相当するかの順位表記が、カラオケ演奏端末が付帯する表示手段をもって表示されることを特徴とするカラオケシステム。
【請求項２】
前記順位表記には、過去に遡った所定数の順位変遷情報も付帯されてなることを特徴とする請求項１記載のカラオケシステム。
【請求項３】
前記採点は楽曲のフレーズ毎に行われ、所定数のフレーズの採点平均値と前記採点履歴における各採点値とが比較され、当該採点平均値が何番目の順位に相当するかの順位表記が所定のタイミングにて表示されることを特徴とする請求項１記載ないし請求項２記載のカラオケシステム。
【発明の詳細な説明】
【技術分野】
【０００１】
本発明は採点情報表示機能を有したカラオケシステムに関し、さらに詳しくは、カラオケホスト装置と、当該ホスト装置とネットワーク通信回線を介して接続され、利用者ＩＤの認識機能および歌唱力の採点機能を有したカラオケ演奏端末を主体としてなるカラオケシステムに関する。
【背景技術】
【０００２】
良く知られているように、現在のカラオケ演奏装置には歌唱力の採点機能が付帯されている。この採点機能とは、カラオケ楽曲の演奏中にマイクから入力される歌唱音声とカラオケ伴奏音楽の主旋律などとを比較し、その音程や発音タイミングの差によって採点するものである。具体的には、楽曲の演奏過程においてフレーズや小節など所定の音符領域を１つの採点区間とし、マイクより入力した歌唱者の音声信号と、カラオケ伴奏音楽の主旋律などの基準データ（リファレンス）とを、この区間毎に比較する。そして、採点区間毎の比較結果を所定のタイミングにて集計して表示し、最終的には伴奏音楽の演奏開始から終了まで集計し、その集計値を適宜に処理して採点値を作成する。
【０００３】
また、通信カラオケシステムの演奏端末となるカラオケ演奏端末は、カラオケホスト装置にネットワーク接続され、当該ホスト装置からカラオケ伴奏音楽や歌詞テロップの生成起源となるカラオケデータをダウンロードしたり、カラオケ演奏端末自体の稼働ログをホスト装置にアップロードしたりしている。そこで、歌唱採点機能が利用されると、楽曲演奏中の採点や最終的な採点結果などの採点情報がホスト装置に送信される。現在では、この機能を利用し、ホスト装置は各地のカラオケ演奏端末から採点情報を収集し、採点ランキングなどにまとめて、その収集情報を各地のカラオケ演奏端末に配信し、各カラオケ演奏端末は、配信された情報を適宜に表示出力して利用者にランキング情報を提示する。
【０００４】
従来、このような採点情報表示機能を有したカラオケシステムに関する様々な技術が想到されてきた。例えば、特許文献１では、カラオケ演奏端末が利用者を特定するための利用者ＩＤを取得することで、誰が何を歌唱したかが認識され、その採点情報をカラオケホスト装置に送信し、当該ホスト装置は、その採点情報に基づき、月間あるいは年間など所定期間毎に採点ランキングを作成する技術が開示されている。また、特許文献２では、利用者が楽曲の演奏過程における適宜な区間を指定し、この指定区間における採点情報をディスプレイ表示する技術が開示されている。あるいは、特許文献３では、採点の平均値および標準偏差に基づいて、仮の順位を算出して表示する技術が開示されている。
【特許文献１】特開平１０−０５５１８４号公報
【特許文献２】特開平１０−３０１５８８号公報
【特許文献３】特開２００２−２２１９７３号公報
【０００５】
このように、採点表示は利用者の歌唱力の目安となり、歌唱の動機付けにもなるため、現在のカラオケシステムでは有効な機能となっている。しかしながら、従来のシステムでは、その採点自体の表示もしくはその採点に基づく他の利用者と比較した相対的な順位の表示しか行われておらず、今まさに歌唱している最中ないしその歌唱後に、その歌唱力が従来よりもどの程度良くなっているのか悪くなっているのかが容易に判別できない。すなわち、従来では、利用者が所定の楽曲を歌唱した際、過去の歌唱力との比較は行われず、単なる採点表示であったり、相対比較による順位表示であったりしていたため、利用者毎に、所定の楽曲に対する絶対的な歌唱力のレベル変化や変遷が良く分からないといった不都合があった。
【発明の開示】
【発明が解決しようとする課題】
【０００６】
そこで、本発明は、上記不都合の解決を課題とし、具体的には、採点情報表示機能を有したカラオケシステムにおいて、利用者が所定の楽曲を歌唱した際、利用者自身の絶対的な歌唱力のレベル変化や変遷が明確に分かるカラオケシステムの提供を課題とする。
【課題を解決するための手段】
【０００７】
上記課題を鑑み、本発明者らは、利用者ＩＤ別に、当該利用者が歌唱した楽曲毎の採点履歴を記録し、任意の利用者が任意の楽曲を歌唱した際、当該利用者ＩＤの当該楽曲の採点履歴に基づき、所定のタイミングにて、その時点での採点が何番目の順位に相当するかの順位表記を表示するシステムを構築することで、上記課題を解決できることを見出し、本発明の採点情報表示機能を有したカラオケシステムを想到した。
【０００８】
すなわち、本発明の請求項１記載の採点情報表示機能を有したカラオケシステムは、    カラオケホスト装置と、当該ホスト装置とネットワーク通信回線を介して接続され、利用者ＩＤの認識機能および歌唱力の採点機能を有したカラオケ演奏端末を主体としてなるカラオケシステムであって、
（ア）前記カラオケホスト装置内の所定の記録部には、利用者ＩＤ別に、当該利用者が歌唱した楽曲毎の採点履歴が記録されると共に、
（イ）任意の利用者が任意の楽曲を歌唱した際、その楽曲演奏中ないし歌唱後に、当該利用者ＩＤの当該楽曲の前記採点履歴に基づき、所定のタイミングにて、その時点での採点が何番目の順位に相当するかの順位表記が、カラオケ演奏端末が付帯する表示手段をもって表示されることを特徴とする。
【０００９】
また、本発明の請求項２記載の採点情報表示機能を有したカラオケシステムは、請求項１記載のカラオケシステムにおいて、前記順位表記には、過去に遡った所定数の順位変遷情報も付帯されてなることを特徴とする。
【００１０】
さらに、本発明の請求項３記載の採点情報表示機能を有したカラオケシステムは、請求項１ないし請求項２記載のカラオケシステムにおいて、前記採点は楽曲のフレーズ毎に行われ、所定数のフレーズの採点平均値と前記採点履歴における各採点値とが比較され、当該採点平均値が何番目の順位に相当するかの順位表記が所定のタイミングにて表示されることを特徴とする。
【発明の効果】
【００１１】
本発明の請求項１記載の採点情報表示機能を有したカラオケシステムによれば、利用者が歌唱した楽曲毎の採点履歴を記録し、任意の利用者が任意の楽曲を歌唱した際、当該利用者ＩＤの当該楽曲の前記採点履歴に基づき、所定のタイミングにて、その時点での採点が何番目の順位に相当するかの順位表記を表示するため、利用者が所定の楽曲を歌唱した際、利用者自身の絶対的な歌唱力のレベル変化が明確に分かることから、他の利用者を含めた全体のレベル変化に惑わされることなくマイペースで歌唱力向上に専念できたり、歌唱に対する新たな動機付けができるなどといった効果を奏する。
【００１２】
また、本発明の請求項２記載の採点情報表示機能を有したカラオケシステムによれば、請求項１記載のカラオケシステムにおいて、順位表記には、過去に遡った所定数の順位変遷情報も付帯されているため、利用者が所定の楽曲を歌唱した際、その絶対的な歌唱力のレベル変化に加え、その変遷が明確に分かることから、これに基づき、歌唱力向上の糧や動機付けがさらに強化されるといった効果を奏する。
【００１３】
さらに、本発明の請求項３記載の採点情報表示機能を有したカラオケシステムによれば、請求項１記載ないし請求項２記載のカラオケシステムにおいて、所定数のフレーズの採点平均値と前記採点履歴における各採点値とが比較され、当該採点平均値が何番目の順位に相当するかの順位表記が所定のタイミングにて表示されるため、特に、楽曲演奏中に好適なタイミングで採点情報を提供できることから、歌唱の最中でも利用者に対する喚起を促し、歌唱支援ができるといった効果を奏する。
【発明を実施するための最良の形態】
【００１４】
以下、本発明の採点情報表示機能を有したカラオケシステムについての最適な実施例を挙げ、先ず、請求項１記載の枕詞および（ア）と（イ）の構成について詳述する。
【実施例１】
【００１５】
図１は本発明のカラオケシステムのネットワーク構成図である。本実施例のカラオケシステム（１）は、カラオケホスト装置（Ｈ）と、当該ホスト装置（Ｈ）とネットワーク通信回線（Ｎ）を介して通信可能に接続され、利用者ＩＤの認識機能および歌唱力の採点機能を有したカラオケ演奏端末（Ｐ）を主体としてなる。詳しくは、先ず、カラオケホスト装置（Ｈ）は大容量の記憶手段を備え、この記憶手段には各カラオケ演奏端末（Ｐ，Ｐ…）から収集したログが記憶され、このログには採点情報が含まれている。一方、カラオケ演奏端末（Ｐ）は、カラオケホスト装置（Ｈ）からダウンロードされた楽曲データを読み出して音源に供給することによりカラオケ演奏の楽音を形成する。この楽曲データにはガイドメロディデータが含まれており、一般的に、このガイドメロディデータを利用し、マイクから入力される歌唱音声信号を、このガイドメロディデータと比較することで歌唱力を採点する。歌唱力採点は、通常、音程・音量・リズムの３つの要素について行われ、さらに、これら３つの要素を総合した総合ポイントが算出される。例えば、楽曲の演奏中や演奏終了時に、所定数のフレーズ毎の得点を合算し、平均して総合ポイントを算出し、これを採点値として表示する。
【００１６】
次に、図２は本発明のカラオケシステムを構成するカラオケ演奏端末のブロック構成図である。本実施例におけるカラオケ演奏端末（Ｐ）は、コントロールアンプ（１１）、音声信号処理装置（１２）、スピーカ（Ｓ）、マイク（Ｍ）、表示手段（Ｄ）および赤外線リモコン（Ｒ）などから構成されている。このカラオケ演奏端末（Ｐ）には、装置全体の動作を制御するＣＰＵ（２）が内蔵され、このＣＰＵ（２）には、バス（ＢＵＳ）ラインを介して、ＲＯＭ（３）、ＲＡＭ（４）、ＨＤＤ（９）、通信インタフェイス（８）、リモコンインタフェイス（５）、表示パネル（６）、パネルスイッチ（７）、音源装置（１０）、音声データ処理部（１３）、文字表示部（１４）、表示制御部（１５）などが接続されている。
【００１７】
ここで、各機能手段について少々説明する。ＲＯＭ（３）には、装置を起動するために必要な起動プログラムなどが記憶され、その他、装置全体の動作を制御するシステムプログラム、アプリケーションプログラムなどはＨＤＤ（９）のプログラム記憶エリアに記憶されている。アプリケーションプログラムとはカラオケ演奏プログラムやＩＣＭ実行プログラムなどであり、電源がオンされると各起動プログラムによってシステムプログラムやカラオケ演奏プログラムがＲＡＭ（４）に読み込まれる。また、ＨＤＤ（９）には、各システムプログラムやアプリケーションプログラムを記憶するためのプログラム記憶エリアの他、楽曲データを記憶するための楽曲データ記憶エリア、採点機能などを実行しＩＣＭデータを記憶するためのＩＣＭデータ記憶エリア、実際の採点を行って採点用データを記憶するための採点用データ記憶エリアなどが設定され、また、採点の平均値や標準偏差などを割り出すための関数テーブルなども、このＨＤＤ（９）に記憶されている。
【００１８】
通信インタフェイス（８）は、ＡＤＳＬ回線、光ファイバ回線、あるいはＩＳＤＮ回線や一般電話回線などの各種回線を介して、カラオケホスト装置（Ｈ）から楽曲データを始め、各種データをダウンロードしてＨＤＤ（９）に書き込むが、この書込動作はＤＭＡ回路を用いて直接行われる。リモコン（Ｒ）には、液晶ディスプレイ（通称「ＬＣＤ」）が設けられ、このＬＣＤにはタッチセンサ方式の操作パネルが装着されてＧＵＩ環境を提供している。さらに、楽曲コードを予約登録するために使用する発光ダイオードからなる赤外線転送部が設けられている。通常は、充電器とデータの同期処理器を兼用した充電ステーション（通称「クレードル」）に着脱可能に装着接続している。一方、本体側のリモコンインタフェイス（５）は、リモコン（Ｒ）から送られてくる赤外線信号を受信して、そのコード信号を復元してＣＰＵ（２）に入力する。リモコン（Ｒ）から楽曲コードが入力されると、ＣＰＵ（２）は、この楽曲コードをＲＡＭ（４）に設定されている予約リストの待ち行列に登録する。
【００１９】
表示パネル（６）は、通常、カラオケ演奏端末（Ｐ）前面に設けられており、演奏中の楽曲コードや予約曲数を始めとして、利用者に対して様々なメッセージを表示するＦＬ管表示器や、現在設定されているキーやテンポを表示するＬＥＤ群などを含んでいる。パネルスイッチ（７）は、リモコン（Ｒ）と同様の楽曲コード入力用のテンキーやキーチェンジスイッチ、テンポチェンジスイッチなどを備えている。音源装置（１０）は、楽曲データの楽音トラックのデータに基づいて楽音信号を形成し、音源装置（１０）は、このデータに基づいて複数パートの楽音信号を同時に形成する。音声データ処理部（１３）は、楽曲データに含まれる音声データに基づき、指定された音長や音高の音声信号を形成する。音声データはバックコーラスなどの人声など電子的に形成し難い信号波形をそのままＡＤＰＣＭ信号として記憶したものである。この音源装置（１０）が形成した楽音信号と、音声データ処理部（１３）が演奏した音声信号は、コントロールアンプ（１１）に入力されると同時に、コントロールアンプ（１１）には、利用者の歌唱音声信号も入力される。コントロールアンプ（１１）はこれらのオーディオ信号に所定の効果を付与してスピーカ（Ｓ）から放音する。
【００２０】
また、文字表示部（１４）は、入力される文字データに基づいて曲名や歌詞などの文字パターンを生成する。また、ＨＤＤ（９）は、ＣＰＵ（２）から入力された映像選択データに基づいて動画の映像を背景映像として演奏し、映像選択データは楽曲データのヘッダに書き込まれているジャンルデータなどに基づいて決定される。表示制御部（１５）は、ＨＤＤ（９）から入力された背景映像に文字表示部（１４）から入力される歌詞などの文字パターンをスーパーインポーズで合成して表示手段（Ｄ）に表示する。
【００２１】
さらに、図３は歌唱音声の採点機能ブロック構成図である。図２において、音声信号処理装置（１２）はマイクロプログラムに基づくデジタル処理で音声信号を処理するが、この図は、その機能をブロック化している。音声信号処理装置（１２）は、カラオケ演奏時に楽曲データから読み出されるガイドメロディデータをリファレンス（２３）として入力するが、このガイドメロディデータは主にＭＩＤＩデータであり、ＣＰＵ（２）は、このＭＩＤＩデータを周波数データおよび音量データに変換して音声信号処理装置（１２）に入力させる。また、図２において、マイク（Ｍ）から入力された歌唱音声信号はＡ／Ｄコンバータ（２０）によってデジタル波形データに変換され、抽出部（２１）にて、所定の採点要素の波形データから歌唱周波数データと歌唱音量データを抽出する。この抽出された各データを比較部（２２）に入力し、ガイドメロディのリファレンス（２３）の周波数データと音量データとを比較し、その差分データを割り出す。また、歌唱音量データとガイドメロディ音量データからは歌唱発音時のタイミングの差分に基づいてリズム差分データを割り出し、この差分データはＣＰＵ（２）に入力される。ＣＰＵ（２）はこの差分データも蓄積記憶し、平均値や標準偏差およびこれに基づく順位などを算出する。
【００２２】
以下、図４に示す、本発明のカラオケシステムを構成するカラオケホスト装置のブロック構成図と、図５に示す、採点履歴管理テーブルの概念的構成図に基づき、本発明の請求項１記載の（ア）と（イ）の構成について、さらに詳述する。
【００２３】
先ず、図４に示すように、本実施例におけるカラオケホスト装置（Ｈ）へは、ネットワーク通信回線（Ｎ）を介して接続されたカラオケ演奏端末（Ｐ）から、利用者ＩＤ別の採点情報が通信インタフェイス（３０）を窓口として転送されてくる。なお、利用者ＩＤについては、各利用者は予めカラオケ演奏端末（Ｐ）に付帯したＩＤカード読み取り／書き込み装置（図示省略）をもって、自らの利用者ＩＤを入力してログインして決定される。例えば、ログインにより形成された自らのＩＤアイコンを指定した前後の操作にて、当該操作が誰から発せられたものなのかをＣＰＵが認識することができる。なお、利用者ＩＤの認識については、ＩＤカードを用いることに限らず、例えば、パスワードの入力、さらには、指紋や声紋などの生体識別機能に依るものであっても構わない。
【００２４】
ＣＰＵ（３１）は、カラオケ演奏端末（Ｐ）から転送されてきた利用者の採点情報を、ＨＤＤ（３２）の採点履歴管理テーブル（Ｔ）に、利用者ＩＤ別に、当該利用者が歌唱した楽曲毎の採点履歴として管理するように制御する。この採点履歴管理テーブル（Ｔ）には、利用者ＩＤ（３２ａ）、楽曲コード（３２ｂ）、採点情報（３２ｃ）などが記録されている。
【００２５】
次に、図５の採点履歴管理テーブルの概念的構成図に示すように、この採点履歴管理テーブル（Ｔ）は、歌唱者を特定する「利用者ＩＤ」フィールド（ｆ１）、採点の対象となった楽曲を特定する「楽曲コード」フィールド（ｆ２）、その採点結果を示す「採点値」フィールド（ｆ３）、その採点値に基づいて付された順位を示す「順位」フィールド（ｆ４）、歌唱した日時を示す「歌唱日時」フィールド（ｆ５）などを主体としてなる。この採点履歴に基づき、利用者が任意の楽曲を歌唱した際、その楽曲演奏中ないし歌唱後に、所定のタイミングで、その時点での採点が何番目の順位に相当するかが比較される。
【００２６】
ここで、図６に示す、所定数のフレーズの採点平均値と順位表記のタイミング相関例、および図７に示す、順位表記および順位変遷情報の表示例に基づき、本発明の請求項２記載および請求項３記載の構成について詳述する。
【００２７】
先ず、図６に示すように、各楽曲は楽曲コードによって特定され、それぞれの楽曲は複数のフレーズ（本実施例では２８フレーズ）からなり、さらに、各フレーズは何小節何拍から何小節何拍までとの指定により区間が設定されている。通常、採点は各フレーズにて行われるが、本実施例では８フレーズ毎に採点が集計され、その平均値が採点値として採用される。具体的には、先ず、８フレーズ目が終わった段階で８個の採点の合算から１フレーズ当たりの平均値を算出し、同様に、１６フレーズ目が終わった段階で１６個の採点の合算から平均値を算出し、２４フレーズ目が終わった段階で２４個の採点の合算から平均値が算出される。そして、最終的には、全てのフレーズの採点平均値が算出される。そして、各採点平均値が算出されたタイミングにて、この採点平均値が上記採点履歴における採点値と比較され、当該採点平均値が何番目の順位に相当するかの順位表記が表示される。例えば、本実施例では、歌唱始めの最初の順位は「３位」を表示し、最終的には「２位」を表示している。
【００２８】
次に、図７に示すように、カラオケ演奏端末が付帯する表示手段（Ｄ）には、所定のカラオケ背景映像および歌詞テロップと共に順位表記（ｄ）が表示される。この順位表記（ｄ）には様々なパターンがあり、ここでは、各パターン例を、その拡大図（Ａ）、（Ｂ）、（Ｃ）を用いて詳述する。先ず、（Ａ）では、採点履歴に基づく「歴代相当順位」（ｄ１）に加え、直近の前回採点値との比較から、今回の採点傾向を示す「ベクトルマーク」（ｄ２）が表示される。また、（Ｂ）では、「歴代相当順位」（ｄ１）に加え、過去に遡った過去４回（前回、前々回、前３回、前４回）にそれぞれ歌唱した際の順位がベクトルマークを挟んで構成された「順位変遷情報」（ｄ３）も表示され、利用者が所定の楽曲を歌唱した際、その絶対的な歌唱力のレベル変化に加え、その変遷が明確に分かる。さらに、（Ｃ）では、「歴代相当順位」（ｄ１）に加え、その時点での「採点」（ｄ４）と利用者ＩＤから歌唱者の氏名といった「歌唱者情報」（ｄ５）も表示される。
【００２９】
以上詳述したように、本発明の採点情報表示機能を有したカラオケシステムによれば、利用者が歌唱した楽曲毎の採点履歴を記録し、任意の利用者が任意の楽曲を歌唱した際、当該利用者ＩＤの当該楽曲の前記採点履歴に基づき、所定のタイミングにて、その時点での採点が何番目の順位に相当するかの順位表記を表示するため、利用者が所定の楽曲を歌唱した際、その絶対的な歌唱力のレベル変化が明確に分かることから、他の利用者を含めた全体のレベル変化に惑わされることなくマイペースで歌唱力向上に専念できたり、歌唱に対する新たな動機付けができる。
【図面の簡単な説明】
【００３０】
【図１】本発明のカラオケシステムのネットワーク構成図。
【図２】本発明のカラオケシステムを構成するカラオケ演奏端末のブロック構成図。
【図３】歌唱音声の採点機能ブロック構成図。
【図４】本発明のカラオケシステムを構成するカラオケホスト装置のブロック構成図。
【図５】採点履歴管理テーブルの概念的構成図。
【図６】所定数のフレーズの採点平均値と順位表記のタイミング相関例。
【図７】順位表記および順位変遷情報の表示例。
【符号の説明】
【００３１】
１  採点情報表示機能を有したカラオケシステム
２，３１  ＣＰＵ
９，３２  ＨＤＤ    
１０  音源装置
１１  コントロールアンプ
１２  音声信号処理装置
１３  音声データ処理部
２０  Ａ／Ｄコンバータ
２１  抽出部
２２  比較部
２３  リファレンス
Ｈ  カラオケホスト装置
Ｐ  カラオケ演奏端末
Ｎ  ネットワーク通信回線
Ｄ  表示手段
ｄ  順位表記
【図１】
2005345555.tif 000003
【図２】
2005345555.tif 000004
【図３】
2005345555.tif 000005
【図４】
2005345555.tif 000006
【図５】
2005345555.tif 000007
【図６】
2005345555.tif 000008
【図７】
2005345555.tif 000009